(57)【要約】【課題】マットレスに休息しているユーザーの高い快適さを保証するように体温調節、発散、及び湿気の管理の優れた特性を有するマットレスを提供する。【解決手段】ユーザーの体の支持機能を有する内側部分１２と、内側部分の外側表面に配置されユーザーの体に接触するのに適応した被覆構造１４とを備え、被覆構造は、発散及び吸湿性特性を有する胞状構造を有する中間布地１８を含み、被覆構造は、水に浸透性でマットレスの表面から水を吸収し輸送するのに適した少なくとも一つのマイクロダクト２２，２４を含む。【選択図】図１
2019103788.tif 000002
【特許請求の範囲】
【請求項１】
休息中のユーザーの高い快適さを保証するようにマットレスに横たわるユーザーの体の体温調節及び発散を確保するのに適したマットレス（１０）であって、該マットレスは、ユーザーの体の支持機能を有する内側部分（１２）と、該内側部分の外側表面に配置されユーザーの体に接触するのに適応した被覆構造（１４）と、を備え、該被覆構造は、発散及び吸湿性特性を有する胞状構造を有する中間布地（１８）を含んでおり、
被覆構造（１４）は、水に浸透性でマットレスの表面から水を吸収し輸送するのに適した少なくとも一つのマイクロダクト（２２，２４）を含むことを特徴とするマットレス。
【請求項２】
中間布地（１８）の厚さは、２ｍｍを超える、請求項１に記載のマットレス。
【請求項３】
被覆構造（１４）は、内側部分（１２）と中間布地（１８）との間に置かれた絶縁布地（２０）を含み、該絶縁布地は水を通さない、請求項１又は２に記載のマットレス。
【請求項４】
絶縁布地（２０）は、通気性のものである、請求項１から３のいずれかに記載のマットレス。
【請求項５】
被覆構造（１４）は、カバー布地（１６）を含み、該カバー布地は、中間布地（１８）より上に位置し吸湿性を有する、請求項１から４のいずれかに記載のマットレス。
【請求項６】
被覆構造（１４）は、マットレスの最大長さ方向において被覆構造（１４）に延在する少なくとも一つの長手方向のマイクロダクト（２２）を含む、請求項１から５のいずれかに記載のマットレス。
【請求項７】
被覆構造（１４）は、マットレスの最小長さの方向において被覆構造（１４）に延在する少なくとも一つの横方向のマイクロダクト（２４）を含む、請求項１から６のいずれかに記載のマットレス。
【請求項８】
被覆構造（１４）は、マットレスの最大長さ方向において被覆構造（１４）に延在する少なくとも一つの長手方向のマイクロダクト（２２）を含み、
少なくとも一つの横方向のマイクロダクト（２４）は、少なくとも一つの長手方向のマイクロダクト（２２）に直交する、請求項７に記載のマットレス。
【請求項９】
被覆構造（１４）は、毛織物を含む少なくとも一つの部分を備えた、請求項１から８のいずれかに記載のマットレス。
【発明の詳細な説明】
【技術分野】
【０００１】
本発明は、一般的にはマットレスに関し、より詳しくは本発明は、休息時にユーザーに高い快適さを保証するように、体温調節、蒸発及び湿気管理の優れた特性を有するマットレスに関する。
【背景技術】
【０００２】
既知の技術によるほとんどのマットレスは、貧弱な体温調節特性を有する。
実際には、ベッドの理想的な局所雰囲気が例えば熱い又は湿気の高い状態に変わるとき、休息及び特に睡眠は阻害される。即ち、一定レベルに体温を維持するために、体は汗をかき冷やす傾向にあり、このことは、まず第１にユーザーの体によるエネルギー消費を含むが、この状況は、良好な休息に関して逆効果である。
【０００３】
同時に、汗をかくことは、ベッド特にマットレスにおいて、望まない温度変化のような差し迫った問題、及び非衛生的環境の生成のような長期的な問題と共に、濡れた局所雰囲気を生成しやすい。
【発明の概要】
【０００４】
発明の目的は、マットレスに休息しているユーザーの体の最適な体温調節を保証することができるマットレスによって、上述した欠点及びさらに他のものを克服することである。
【０００５】
発明の別の目的は、体の汗によって生じる湿気を最適に管理することを可能にするマットレスを提供することである。
【０００６】
発明の別の目的は、高いレベルの衛生状態を保証し、及び、同時に、反ダニ、抗菌性及び反臭気の機能を有するマットレスを提供することである。
【０００７】
上述の目的及びさらに他のものは、休息の際にユーザーのために高い快適さを保証するように、マットレスに横たわるユーザーの体の体温調節及び蒸発を確保するのに適したマットレスによる発明によって到達される。即ち、発明によるマットレスは、ユーザーの体用の支持機能を有する内側部分、及び、内側部分の外側表面に配置されユーザーの体に接触するのに適した被覆構造を備える。
【０００８】
特に、発明によるマットレスは、発散及び吸湿特性を有する胞状構造を有する中間布地を被覆構造が含むということによって特徴付けられる。
【０００９】
上述の中間布地の存在は、湿気が、ユーザーの体に接しているマットレス表面に吸収されて、マットレスの周囲部分の大部分の方へ移送されることを可能にする。
【００１０】
有利には、中間布地の厚さは、ユーザーの体の汗による湿気の吸収のための十分なスペースを得るように２ｍｍを超えることができる。
【００１１】
その上、被覆構造は、内側部分と中間布地との間に置かれた絶縁布地を含んでもよい。即ち、この絶縁布地は、湿気からマットレスの内部を分離するように防水加工されている。
【００１２】
このように、マットレスの衛生状態は、長期においてでさえ保証される。
【００１３】
有利には、被覆構造は、カバー布地を含んでもよく、このカバー布地は、中間布地の上方に配置され、吸湿特性を有する。
【００１４】
したがって被覆布地は、ユーザーの体によるマットレスの接触面である。この布地は、中間布地によって湿気を管理可能なようにユーザーの体からの湿気吸収を保証する。
【００１５】
湿気の吸収及び移送の特性を改善するために、被覆構造は、水に対して浸透性のある少なくとも１つのマイクロダクトを含んでもよい。
【００１６】
有利には、被覆構造は、マットレスの最大長さ方向に被覆構造において延在した少なくとも１つの長手方向のマイクロダクトを含んでもよい。
【００１７】
このように、湿気は、マットレスの中央領域において吸収可能であり、ユーザーの頭及び足の方へ移動可能である。
【００１８】
さらに被覆構造は、マットレスの中央部分から、湿気が外部へ放出される所の側面領域への湿気を輸送するように、マットレスの最小長さ方向に被覆構造において延在した少なくとも１つの横方向のマイクロダクトを含んでもよい。
【００１９】
１つ以上の横方向のマイクロダクトは、網状のようなものを生成し、湿気の吸収及び排出特性を最大化するように、１つ以上の長手方向のマイクロダクトに直交してもよい。
【００２０】
有利には、低い使用温度の場合でも優れた快適さを保証するために、被覆構造は、毛織物を含む少なくとも一部分を含んでもよい。
【００２１】
発明のさらなる特徴及び詳細は、添付図面と共に制限しない実施形態によって提供される以下の明細書から一層よく理解されるだろう。
【図面の簡単な説明】
【００２２】
【図１】発明によるマットレスについての概略の不等角投影図である。
【図２】図１におけるマットレスの一部分の概略側面における横方向の断面図である。
【発明を実施するための形態】
【００２３】
付加された図に関して、符号１０は、平行六面体のように形作られ被覆構造１４によって外側を覆われた内側部分１２を含むマットレスを表示している。
【００２４】
内側部分１２の機能は、マットレスに横たわるユーザーを支持することである。実際に、内側部分は、弾塑性挙動を有し、既知の技術に従い高分子発泡体で作製される。
【００２５】
内側部分１２は、別の物質、例えばラテックス又は別の天然もしくは人工の物質を使用することによって生産することができることは明らかである。別の方法で、内側部分は、ばねシステムを使用することによって得ることができる。
【００２６】
被覆構造１４は、そのための複数層構造であり、順に重ねられた３つの織物を含む。
【００２７】
特に、被覆構造１４は、外側のカバー布地１６、中間布地１８、及び内側の絶縁布地２０を含んでいる。
【００２８】
外側のカバー布地１６は、優れた吸湿性及び通気性の特性を有し、湿気、つまり被覆構造１４の内側、特に中間布地１８に残る湿気の通過と共に、マットレスに横たわる人の体の汗の部分的な蒸発を保証する。
【００２９】
このように、カバー布地１６の外側表面、つまりユーザーの体と接触する可能性のある表面は、基本的に乾燥したままである。
【００３０】
中間布地１８の厚さは、中間布地１８が特別の蒸発特性を有する胞状構造を有することから、２ｍｍよりも大きく、つまりカバー布地１６及び絶縁布地２０の厚さよりも大きい。
【００３１】
中間布地１８の胞状構造は、空気及び湿気、例えば体の汗の湿気の通過を可能にする。
【００３２】
中間布地１８が内側部分１２の外側表面のすべてをカバーすることから、中間布地１８は、マットレスの大部分の外側表面の様々な部分間の湿気の交換を可能にする。
【００３３】
さらに、中間布地１８の胞状構造は、休息中に快適さを増すクッションを形成する。
【００３４】
大部分の内側の絶縁布地２０は、液体及び空気を通さない。言い換えると、絶縁布地２０は、湿気及び空気がマットレス１０の内側部分１２に入るのを防止する。
【００３５】
このようにマットレスは、その最も内側の部分でさえ全く分離され続け、マットレスに横たわる人の支持特性を常に完全なままに維持する。
【００３６】
さらに、長手方向のマイクロダクト２２及び横方向のマイクロダクト２４は、マットレス１０の表面、被覆構造１４の内側、正確には外側のカバー布地１６に存在する。
【００３７】
長手方向のマイクロダクト２２は、被覆構造１４においてユーザーの頭位置から足位置まで延在する。
【００３８】
横方向のマイクロダクト２４は、長手方向のマイクロダクト２２に直角に延在し、つまり横方向のマイクロダクトは、一方の側面から他方の側面まで被覆構造を横切る。
【００３９】
マイクロダクト２２，２４は、マットレスの被覆構造１４の全部にわたり一様に分布でき、又は、被覆構造のある特別領域のみに存在することもできる。
【００４０】
特に、横方向のマイクロダクト２４は、好ましくは、ユーザーの体とマットレスとの接触がより大きくなる、被覆構造１４の領域に存在し、該領域は一般的に２又は３つである。より具体的には、仰向けに横たわるユーザーに関して、第１領域では、頭用に用意された位置レベルでの、及び／又は胸のレベルでの肩と背中用の、横方向のマイクロダクト２４の第１グループが存在し、また、第２領域では、骨盤及び大腿部用に用意された位置レベルでの横方向のマイクロダクト２４の第２グループが存在する。例えば、単一のマットレスにおいて、横方向のマイクロダクト２４は、良好な快適さを保証するように、各グループにおいて１０から２０の数で設けることができる。当然ながら、横方向のマイクロダクト２４の２つ以上のグループが存在するときには、各グループは同数あるいは異なる数の横方向のマイクロダクト２４を有することができる。さらに、各グループにおける全ての横方向のマイクロダクト２４は、互いに等距離に存在でき、又は、より好ましくは、少なくとも一つの横方向のマイクロダクト２４は、側面における横方向のマイクロダクト２４から、同じグループに属する他の横方向マイクロダクト２４間の距離よりも、より遠く離れて存在する。横方向のマイクロダクト２４間の最も大きい距離は、マットレスとユーザーの体とが最小に接触する領域、即ちユーザーの大腿部及び頭の領域、に関連して見られる。
【００４１】
マイクロダクト２２，２４は、変更可能な数にて存在するものであり、その可変数は本発明の目的と結びつくものではなく、主としてマットレスの大きさ及びマットレスのユーザーに対する快適さに依存する。例えば、単一のマットレスにおける長手方向のマイクロダクト２２は、良好な快適さを保証するように６から１０の数を示すことができる。長手方向のマイクロダクト２２は、互いから同距離に存在することができ、２以上の数にグループ化可能である。さらに、長手方向のマイクロダクト２２は、少なくとも部分的に互いに平行であることができ、又は、少なくとも部分的に、特別なパターンに従うことができる。
【００４２】
長手方向のマイクロダクト２２及び横方向のマイクロダクト２４は、長手方向のマイクロダクト２２又は横方向のマイクロダクト２４のマイクロダクトの所定部分内の水分濃度の程度に依存して、水分又は汗の吸収又は排出を可能にするように、通気性及び浸透性の織物で作製される。
【００４３】
したがって、あるマイクロダクト部分が汗で完全に満たされた場合には、隣接するカバー布地１６における水分含有量が、同じマイクロダクト部分における水分含有量よりも低いならば、汗はそれ自身より低い湿気を有するマイクロダクトへ運ばれるだろう、あるいはマットレスの外の方へ排出されるであろう。
【００４４】
長手方向のマイクロダクト２２及び横方向のマイクロダクト２４の機能は、より高い濃度の領域における湿気つまり汗を吸収し、より低い濃度の領域つまり湿気が放出される領域へ湿気を輸送することである。
【００４５】
このように、湿気は、元は暖かいところの湿気生成領域から、湿気が到達する新しいところであるマットレス及びユーザーの体における他の領域へ輸送され、よって、ユーザーの体自体を冷やすことができる。
【００４６】
したがって、発明によるマットレス１０は、体の汗をうまく利用し、休息のために汗を使用することを可能にする。
【００４７】
体の汗及び湿気は、カバー布地１６を通り抜けて被覆構造１４に達するが、絶縁布地２０の存在によりマットレス１０の内側部分１２に浸透せず、外側へ流れる。
【００４８】
湿気は、マットレスに入らないが、内側の中間布地１８を流れ、内側の長手方向のマイクロダクト２２及び横方向のマイクロダクト２４を流れる。
【００４９】
実際に、空気及び湿気は、休息中の快適さを改善するようにクッションをさらに形成する中間布地１８の胞状構造を通り抜けることができる。
【００５０】
より正確には、汗の一部は、カバー布地１６及び中間布地に蒸発する。
【００５１】
別の部分は、マットレスの全表面において濃度の高い領域から低い領域へ汗を運ぶ長手方向のマイクロダクト２２及び横方向のマイクロダクト２４に流れ込まされる。
【００５２】
このように、湿気は、元は暖かい生成領域から、湿気が到達する新しいところの体の他の領域へ運ばれる。
【００５３】
さらに、汗の一部は、ユーザーの皮膚によってフレッシャーとして再吸収され、その結果、実質的に汗の再循環があるので、ユーザーの体は、冷やされるのにより少ないエネルギーですむ。
【００５４】
生命体を体温調節するための非常に低いエネルギー消費は、睡眠及び休息のよりよい質に結びつく。
【００５５】
さらに、マットレス１０の特別な形状は、マットレスの内部のダニ及びバクテリアの蓄積を防止する。
【００５６】
本質的に、発明によるマットレスは、その内側における湿気不在のおかげで、及び反ダニ、抗菌性及び反臭気の機能のおかげで優れたレベルの衛生状態を提供する。
【００５７】
したがって、発明によるマットレスは、このマットレスがよりよい筋肉及び生命体の回復を可能にすることから、スポーツを行う人々に理想的なものである。
【００５８】
当業者は、本発明の保護範囲に含まれているように、考えられる変更あるいは変形を提供することができる。
【００５９】
例えば、被覆構造１４は、異なる機能を実行する織物の付加層を含むことができる。
【００６０】
例えば、被覆構造１４は、ユーザーの体温の最適な管理を確保するように毛織物を含むことができる。
【００６１】
発明の変形によれば、液体への防水を維持しながら、大部分の内側の絶縁布地は、通気性であることができる。
【図１】
2019103788.tif 000003
【図２】
2019103788.tif 000004
【外国語明細書】
2019103788000001.pdf